(57)【特許請求の範囲】
【請求項１】
長尺形状である第１の固定部と、
前記第１の固定部に平行に延びる、長尺形状である第２の固定部と、
前記第１の固定部の長手方向の一方の端部と前記第２の固定部の長手方向の一方の端部とを繋ぎ、前記第１の固定部の長手方向の他方の端部と前記第２の固定部の長手方向の他方の端部とを繋いでいない連結部と、を備え、
前記第１の固定部は、前記第１の固定部の長手方向に延びる第１の長穴を有し、前記第２の固定部は、前記第２の固定部の長手方向に延びる第２の長穴を有し、
前記第１の固定部、前記第２の固定部および前記連結部は、導電性を有し、
前記第１の長穴に挿入された第１のねじによって前記第１の固定部が第１の太陽電池モジュールに固定され、前記第２の長穴に挿入された第２のねじによって前記第２の固定部が前記第１の太陽電池モジュールに隣接する第２の太陽電池モジュールに固定され、
前記第１の固定部、前記第２の固定部、および前記連結部は、前記第１のねじが挿入される方向に沿って見た形状がＵ字形状である太陽電池モジュールの接続用部材。
【請求項２】
前記連結部は、前記第１の固定部の長手方向に垂直な方向に伸縮可能なばね部材である請求項１に記載の太陽電池モジュールの接続用部材。
【請求項３】
前記第１の長穴と前記連結部とは、前記第１の固定部の長手方向の位置が重なっておらず離間し、
前記第２の長穴と前記連結部とは、前記第２の固定部の長手方向の位置が重なっておらず離間している請求項１または２に記載の太陽電池モジュールの接続用部材。
【請求項４】
前記連結部は、前記第１の固定部および前記第２の固定部に対し隆起している凸形状を呈している請求項１から３の何れか一つに記載の太陽電池モジュールの接続用部材。
【請求項５】
長方形形状の第１の太陽電池パネルと、前記第１の太陽電池パネルの周囲を囲む、導電性の一対の短辺側枠体および一対の長辺側枠体とを有する第１の太陽電池モジュールと、
長方形形状の第２の太陽電池パネルと、前記第２の太陽電池パネルの周囲を囲む、導電性の一対の短辺側枠体および一対の長辺側枠体とを有し、前記第１の太陽電池モジュールに対し長手方向に沿って隣接する第２の太陽電池モジュールと、
長方形形状の第３の太陽電池パネルと、前記第３の太陽電池パネルの周囲を囲む、導電性の一対の短辺側枠体および一対の長辺側枠体とを有し、前記第１の太陽電池モジュールに対し短手方向に沿って隣接する第３の太陽電池モジュールと、
長尺形状であって、前記長尺形状の長手方向に延びる第１の長穴および第２の長穴を有する第１の接続用部材と、
長尺形状であって、第１の固定部の長手方向に延びる第３の長穴を有する前記第１の固定部と、前記第１の固定部に平行に延び、長尺形状であって、第２の固定部の長手方向に延びる第４の長穴を有する前記第２の固定部と、前記第１の固定部の長手方向の端部と前記第２の固定部の長手方向の端部とを繋ぐ連結部とを有する第２の接続用部材と、を備え、
前記第１の長穴に挿入された第１のねじによって、前記第１の接続用部材の長手方向が前記第１の太陽電池モジュールの長手方向と平行となるように、前記第１の接続用部材が前記第１の太陽電池モジュールの前記長辺側枠体に固定され、前記第２の長穴に挿入された第２のねじによって、前記第１の接続用部材の長手方向が前記第２の太陽電池モジュールの長手方向と平行となるように、前記第１の接続用部材が前記第２の太陽電池モジュールの長辺側枠体に固定され、
前記第３の長穴に挿入された第３のねじによって、前記第２の接続用部材の第１の固定部の長手方向が前記第１の太陽電池モジュールの長手方向と平行となるように、前記第２の接続用部材の前記第１の固定部が前記第１の太陽電池モジュールの長辺側枠体に固定され、前記第４の長穴に挿入された第４のねじによって、前記第２の接続用部材の第２の固定部の長手方向が前記第３の太陽電池モジュールの長手方向と平行となるように、前記第２の接続用部材の前記第２の固定部が前記第３の太陽電池モジュールの長辺側枠体に固定される太陽電池システム。
【請求項６】
前記連結部は、前記第１の固定部の長手方向に垂直な方向に伸縮可能なばね部材である請求項５に記載の太陽電池システム。
【請求項７】
前記第３の長穴と前記連結部とは、前記第１の固定部の長手方向の位置が重なっておらず離間し
前記第４の長穴と前記連結部とは、前記第２の固定部の長手方向の位置が重なっておらず離間している請求項５または６に記載の太陽電池システム。
【請求項８】
前記連結部は、前記第１の固定部および前記第２の固定部に対し隆起している凸形状を呈している請求項５から７の何れか一つに記載の太陽電池システム。
【請求項９】
前記第１の太陽電池モジュールの前記一対の短辺側枠体および前記一対の長辺側枠体は、前記第１の太陽電池パネルと反対側に張り出したフランジ部を備え、前記第２の太陽電池モジュールの前記一対の短辺側枠体および前記一対の長辺側枠体は、前記第２の太陽電池パネルと反対側に張り出したフランジ部を備え、前記第３の太陽電池モジュールの前記一対の短辺側枠体および前記一対の長辺側枠体は、前記第３の太陽電池パネルと反対側に張り出したフランジ部を備え、
前記第１の接続用部材が前記第１の太陽電池モジュールの長辺側枠体のフランジ部に固定され、前記第１の接続用部材が前記第２の太陽電池モジュールの長辺側枠体のフランジ部に固定され、
前記第２の接続用部材の前記第１の固定部が前記第１の太陽電池モジュールの長辺側枠体のフランジ部に固定され、前記第２の接続用部材の前記第２の固定部が前記第３の太陽電池モジュールの長辺側枠体のフランジ部に固定される請求項５から８の何れか一つに記載の太陽電池システム。
【請求項１０】
長方形形状の第１の太陽電池パネルと、前記第１の太陽電池パネルの周囲を囲む、導電性の一対の短辺側枠体および一対の長辺側枠体とを有する第１の太陽電池モジュールと、
長方形形状の第２の太陽電池パネルと、前記第２の太陽電池パネルの周囲を囲む、導電性の一対の短辺側枠体および一対の長辺側枠体とを有し、前記第１の太陽電池モジュールに対し短手方向に沿って隣接する第２の太陽電池モジュールと、
長方形形状の第３の太陽電池パネルと、前記第３の太陽電池パネルの周囲を囲む、導電性の一対の短辺側枠体および一対の長辺側枠体とを有し、前記第１の太陽電池モジュールに対し長手方向に沿って隣接する第３の太陽電池モジュールと、
長尺形状であって、前記長尺形状の長手方向に延びる第１の長穴および第２の長穴を有する第１の接続用部材と、
長尺形状であって、第１の固定部の長手方向に延びる第３の長穴を有する前記第１の固定部と、前記第１の固定部に平行に延び、長尺形状であって、第２の固定部の長手方向に延びる第４の長穴を有する前記第２の固定部と、前記第１の固定部の長手方向の端部と前記第２の固定部の長手方向の端部とを繋ぐ連結部とを有する第２の接続用部材と、を備え、
前記第１の長穴に挿入された第１のねじによって、前記第１の接続用部材の長手方向が前記第１の太陽電池モジュールの短手方向と平行となるように、前記第１の接続用部材が前記第１の太陽電池モジュールの前記短辺側枠体に固定され、前記第２の長穴に挿入された第２のねじによって、前記第１の接続用部材の長手方向が前記第２の太陽電池モジュールの短手方向と平行となるように、前記第１の接続用部材が前記第２の太陽電池モジュールの短辺側枠体に固定され、
前記第３の長穴に挿入された第３のねじによって、前記第２の接続用部材の第１の固定部の長手方向が前記第１の太陽電池モジュールの短手方向と平行となるように、前記第２の接続用部材の前記第１の固定部が前記第１の太陽電池モジュールの短辺側枠体に固定され、前記第４の長穴に挿入された第４のねじによって、前記第２の接続用部材の第２の固定部の長手方向が前記第３の太陽電池モジュールの短手方向と平行となるように、前記第２の接続用部材の前記第２の固定部が前記第３の太陽電池モジュールの短辺側枠体に固定される太陽電池システム。
【請求項１１】
前記連結部は、前記第１の固定部の長手方向に垂直な方向に伸縮可能なばね部材である請求項１０に記載の太陽電池システム。
【請求項１２】
前記第３の長穴と前記連結部とは、前記第１の固定部の長手方向の位置が重なっておらず離間し
前記第４の長穴と前記連結部とは、前記第２の固定部の長手方向の位置が重なっておらず離間している請求項１０または１１に記載の太陽電池システム。
【請求項１３】
前記連結部は、前記第１の固定部および前記第２の固定部に対し隆起している凸形状を呈している請求項１０から１２の何れか一つに記載の太陽電池システム。
【請求項１４】
前記第１の太陽電池モジュールの前記一対の短辺側枠体および前記一対の長辺側枠体は、前記第１の太陽電池パネルと反対側に張り出したフランジ部を備え、前記第２の太陽電池モジュールの前記一対の短辺側枠体および前記一対の長辺側枠体は、前記第２の太陽電池パネルと反対側に張り出したフランジ部を備え、前記第３の太陽電池モジュールの前記一対の短辺側枠体および前記一対の長辺側枠体は、前記第３の太陽電池パネルと反対側に張り出したフランジ部を備え、
前記第１の接続用部材が前記第１の太陽電池モジュールの短辺側枠体のフランジ部に固定され、前記第１の接続用部材が前記第２の太陽電池モジュールの短辺側枠体のフランジ部に固定され、
前記第２の接続用部材の前記第１の固定部が前記第１の太陽電池モジュールの短辺側枠体のフランジ部に固定され、前記第２の接続用部材の前記第２の固定部が前記第３の太陽電池モジュールの短辺側枠体のフランジ部に固定される請求項１０から１３の何れか一つに記載の太陽電池システム。
【発明の詳細な説明】
【技術分野】
【０００１】
本発明は、太陽光を利用して発電する太陽電池モジュールの接続用部材及び当該接続用部材を利用して太陽電池モジュールを接続して形成した太陽電池システムに関する。
【背景技術】
【０００２】
太陽電池システム機器等の設備を建造物の屋根上や地上に設置する場合、これらの設備を構成する部材は電気的に接地される必要がある。特に太陽電池モジュールのフレームについては、電気的な接地を取るために太陽電池モジュール一枚一枚にアース配線が施されていたが、施行工程の手間やコストが嵩む課題があった。
【０００３】
このような課題に対して、従来例えば特許文献１の図４に示されているような方法が取られている。特許文献１では、鋼材の接続用部材（文献１の接続用部材１０に相当）を用いて隣り合った太陽電池モジュールのフレームを電気的に接続し、１枚の太陽電池モジュールにアース配線を行うことで複数の太陽電池モジュールの電気的な接地を行う方法が挙げられている。
【０００４】
具体的に特許文献１における隣り合った太陽電池の電気的な接続方法を説明する。まず、隣り合った太陽電池モジュールの一側部にねじ嵌め込み用の穴を形成する。次に、接続用部材に形成されたねじ嵌め込み用の穴と、太陽電池モジュールのねじ嵌め込み用の穴とが合致するように、太陽電池モジュールと接続用部材とを位置決めする。最後に、ねじを合致させたそれぞれのねじ嵌め込み用の穴に嵌め込み、それぞれの太陽電池モジュールと接続用部材を固定する。このように接続することによって、ねじと接続用部材を介して隣り合った太陽電池モジュールを電気的に接続している。
【先行技術文献】
【特許文献】
【０００５】
【特許文献１】特開２００１−８１９２０
【発明の概要】
【発明が解決しようとする課題】
【０００６】
しかしながら、特許文献１のような隣り合った太陽電池モジュールの電気的な接続方法では、太陽電池モジュールに風圧や地震等の外力が印加された場合に外力が加えられた太陽電池モジュールが他の太陽電池モジュールに対して変位し、接続用部材に応力が加わる。また、風圧や地震等の外力は繰り返し印加されるため、繰り返し応力が加えられ、金属疲労による接続用部材の破損が生じてしまう。特に太陽電池モジュールと接続用部材とをねじで固定している固定点には応力が集中するため、ねじや固定点から破損が生じることが多い。破損が生じると太陽電池モジュールと接続用部材の電気的な接続が断絶してしまう可能性があるため、特許文献１のような接続方法では、長期的に太陽電池モジュールの電気的な接地を保つことは困難である。
【０００７】
本発明は上記の課題を鑑みてなされたものであり、容易に複数の太陽電池モジュールの電気的な接地を行え、長期的に太陽電池モジュールの電気的な接地を保つことができる太陽電池モジュールの接続用部材及び太陽電池システムを提供することを目的とする。
【課題を解決するための手段】
【０００８】
本発明にかかる太陽電池モジュールの接続用部材は、長尺形状である第１の固定部と、前記第１の固定部に平行に延びる、長尺形状である第２の固定部と、前記第１の固定部の長手方向の一方の端部と前記第２の固定部の長手方向の一方の端部とを繋ぎ、前記第１の固定部の長手方向の他方の端部と前記第２の固定部の長手方向の他方の端部とを繋いでいない連結部と、を備え、前記第１の固定部は、前記第１の固定部の長手方向に延びる第１の長穴を有し、前記第２の固定部は、前記第２の固定部の長手方向に延びる第２の長穴を有し、前記第１の固定部、前記第２の固定部および前記連結部は、導電性を有し、前記第１の長穴に挿入された第１のねじによって前記第１の固定部が第１の太陽電池モジュールに固定され、前記第２の長穴に挿入された第２のねじによって前記第２の固定部が前記第１の太陽電池モジュールに隣接する第２の太陽電池モジュールに固定され、前記第１の固定部、前記第２の固定部、および前記連結部は、前記第１のねじが挿入される方向に沿って見た形状がＵ字形状であることを特徴としている。
【０００９】
本発明にかかる太陽電池システムは、長方形形状の第１の太陽電池パネルと、前記第１の太陽電池パネルの周囲を囲む、導電性の一対の短辺側枠体および一対の長辺側枠体とを有する第１の太陽電池モジュールと、長方形形状の第２の太陽電池パネルと、前記第２の太陽電池パネルの周囲を囲む、導電性の一対の短辺側枠体および一対の長辺側枠体とを有し、前記第１の太陽電池モジュールに対し短手方向に沿って隣接する第２の太陽電池モジュールと、長方形形状の第３の太陽電池パネルと、前記第３の太陽電池パネルの周囲を囲む、導電性の一対の短辺側枠体および一対の長辺側枠体とを有し、前記第１の太陽電池モジュールに対し長手方向に沿って隣接する第３の太陽電池モジュールと、長尺形状であって、前記長尺形状の長手方向に延びる第１の長穴および第２の長穴を有する第１の接続用部材と、長尺形状であって、第１の固定部の長手方向に延びる第３の長穴を有する前記第１の固定部と、前記第１の固定部に平行に延び、長尺形状であって、第２の固定部の長手方向に延びる第４の長穴を有する前記第２の固定部と、前記第１の固定部の長手方向の端部と前記第２の固定部の長手方向の端部とを繋ぐ連結部とを有する第２の接続用部材と、を備え、前記第１の長穴に挿入された第１のねじによって、前記第１の接続用部材の長手方向が前記第１の太陽電池モジュールの短手方向と平行となるように、前記第１の接続用部材が前記第１の太陽電池モジュールの前記短辺側枠体に固定され、前記第２の長穴に挿入された第２のねじによって、前記第１の接続用部材の長手方向が前記第２の太陽電池モジュールの短手方向と平行となるように、前記第１の接続用部材が前記第２の太陽電池モジュールの短辺側枠体に固定され、前記第３の長穴に挿入された第３のねじによって、前記第２の接続用部材の第１の固定部の長手方向が前記第１の太陽電池モジュールの短手方向と平行となるように、前記第２の接続用部材の前記第１の固定部が前記第１の太陽電池モジュールの短辺側枠体に固定され、前記第４の長穴に挿入された第４のねじによって、前記第２の接続用部材の第２の固定部の長手方向が前記第３の太陽電池モジュールの短手方向と平行となるように、前記第２の接続用部材の前記第２の固定部が前記第３の太陽電池モジュールの短辺側枠体に固定されることを特徴としている。
【００１０】
本発明にかかる太陽電池システムは、長方形形状の第１の太陽電池パネルと、前記第１の太陽電池パネルの周囲を囲む、導電性の一対の短辺側枠体および一対の長辺側枠体とを有する第１の太陽電池モジュールと、長方形形状の第２の太陽電池パネルと、前記第２の太陽電池パネルの周囲を囲む、導電性の一対の短辺側枠体および一対の長辺側枠体とを有し、前記第１の太陽電池モジュールに対し短手方向に沿って隣接する第２の太陽電池モジュールと、長方形形状の第３の太陽電池パネルと、前記第３の太陽電池パネルの周囲を囲む、導電性の一対の短辺側枠体および一対の長辺側枠体とを有し、前記第１の太陽電池モジュールに対し長手方向に沿って隣接する第３の太陽電池モジュールと、長尺形状であって、前記長尺形状の長手方向に延びる第１の長穴および第２の長穴を有する第１の接続用部材と、長尺形状であって、第１の固定部の長手方向に延びる第３の長穴を有する前記第１の固定部と、前記第１の固定部に平行に延び、長尺形状であって、第２の固定部の長手方向に延びる第４の長穴を有する前記第２の固定部と、前記第１の固定部の長手方向の端部と前記第２の固定部の長手方向の端部とを繋ぐ連結部とを有する第２の接続用部材と、を備え、前記第１の長穴に挿入された第１のねじによって、前記第１の接続用部材の長手方向が前記第１の太陽電池モジュールの短手方向と平行となるように、前記第１の接続用部材が前記第１の太陽電池モジュールの前記短辺側枠体に固定され、前記第２の長穴に挿入された第２のねじによって、前記第１の接続用部材の長手方向が前記第２の太陽電池モジュールの短手方向と平行となるように、前記第１の接続用部材が前記第２の太陽電池モジュールの短辺側枠体に固定され、前記第３の長穴に挿入された第３のねじによって、前記第２の接続用部材の第１の固定部の長手方向が前記第１の太陽電池モジュールの短手方向と平行となるように、前記第２の接続用部材の前記第１の固定部が前記第１の太陽電池モジュールの短辺側枠体に固定され、前記第４の長穴に挿入された第４のねじによって、前記第２の接続用部材の第２の固定部の長手方向が前記第３の太陽電池モジュールの短手方向と平行となるように、前記第２の接続用部材の前記第２の固定部が前記第３の太陽電池モジュールの短辺側枠体に固定されることを特徴としている。
【発明の効果】
【００１２】
本発明によれば、太陽電池モジュールが他の太陽電池モジュールに対して変位しても変位量の一部をねじが長穴に沿って変位することによって吸収され、接続用部材に加わる応力が低下し、長期的に太陽電池モジュールの電気的な接地を保つことができる。
【図面の簡単な説明】
【００１４】
【図１】本発明に係る太陽電池システムの斜視図である。
【図２】本発明に係る太陽電池システムの側面図である。
【図３】実施の形態１に係る太陽電池モジュールの上面図である。
【図４】実施の形態１に係る太陽電池モジュールの図３で示した領域Ｄの拡大図である。
【図５】実施の形態１に係る太陽電池モジュールの図４で示したＥ−Ｅ断面図である。
【図６】実施の形態１に係る長辺側枠体の端部の上面図である。
【図７】実施の形態１に係る長辺側枠体の端部の斜視図である。
【図８】本発明に係る太陽電池システムの図１で示した領域Ａの拡大図である。
【図９】本発明に係る太陽電池システムの図８で示したＦ−Ｆ断面図である。
【図１０】実施の形態１に係る太陽電池システムの図１で示した領域Ｂの拡大図である。
【図１１】実施の形態１に係る太陽電池システムの図１０で示したＧ−Ｇ断面図である。
【図１２】実施の形態１に係る第一の接続用部材の斜視図である。
【図１３】実施の形態１に係る太陽電池システムの図１で示した領域Ｃの拡大図である。
【図１４】実施の形態１に係る太陽電池システムの図１３で示したＨ−Ｈ断面図である。
【図１５】実施の形態１に係る第二の接続用部材の斜視図である。
【図１６】実施の形態２に係る接続用部材の斜視図である。
【図１７】実施の形態２に係る太陽電池システムの図１で示した領域Ｂに相当する箇所の拡大図である。
【図１８】実施の形態２に係る太陽電池システムの図１７で示したＩ−Ｉ断面図である。
【図１９】実施の形態２に係る太陽電池システムの図１で示した領域Ｃに相当する箇所の拡大図である。
【図２０】実施の形態２に係る太陽電池システムの図１９で示したＪ−Ｊ断面図である。
【図２１】実施の形態２の変形例に係る第一の接続用部材の斜視図である。
【図２２】実施の形態２の変形例に係る第二の接続用部材の斜視図である。
【図２３】実施の形態２の変形例に係る太陽電池システムの図１で示した領域Ｂに相当する箇所の拡大図である。
【図２４】実施の形態２の変形例に係る太陽電池システムの図１で示した領域Ｃに相当する箇所の拡大図である。
【図２５】実施の形態３に係る太陽電池モジュールの上面図である。
【図２６】実施の形態３に係る太陽電池モジュールの図２５で示した領域Ｋの拡大図である。
【図２７】実施の形態３に係る長辺側枠体の端部の上面図である。
【図２８】実施の形態３に係る第一の接続用部材の斜視図である。
【図２９】実施の形態３に係る太陽電池システムの図１で示した領域Ｂに相当する箇所の拡大図である。
【図３０】実施の形態３に係る第二の接続用部材の斜視図である。
【図３１】実施の形態３に係る太陽電池システムの図１で示した領域Ｃに相当する箇所の拡大図である。
【図３２】実施の形態１〜３の変形例に係る太陽電池モジュールの上面図である。
【発明を実施するための形態】
【００１５】
以下、本発明の実施の形態について、図を用いて説明する。なお、各図中、同一又は相当する部分には、同一符号を付している。実施の形態の説明において、同一又は相当する部分については、その説明を適宜省略又は簡略化する。
【００１６】
実施の形態１．
図１は、本発明に係る太陽電池システムの斜視図である。図２は、本発明に係る太陽電池システムの側面図である。まずは、太陽電池システム１００全体の構成について説明する。太陽電池システム１００は、長方形形状である複数の太陽電池モジュール１と、太陽電池モジュール１を支持する支持架台２と、を備えている。なお、太陽電池システム１００は、太陽電池モジュール１を８枚有しており、それぞれ図１のように太陽電池モジュール１ａ〜１ｈと番号を付する。複数の太陽電池モジュール１は、それぞれ太陽電池モジュールの長手方向（本発明の第一の方向に該当）と、長手方向に対して垂直な太陽電池モジュールの短手方向（本発明の第二の方向に該当）に沿ってそれぞれ配列されている。
【００１７】
また、複数の太陽電池モジュール１の中の少なくとも１つ（実施の形態１では太陽電池モジュール１ａが該当）にはアース線３が電気的に接続されており、電気的に接地されている。また、太陽電池システム１００は、長手方向に沿って隣接する太陽電池モジュール１を電気的に接続する第一の接続用部材４（図１０参照）と、短手方向に沿って隣接する太陽電池モジュール１を電気的に接続する第二の接続用部材５（図１３参照）を備えている。後述するように太陽電池システム１００の全ての太陽電池モジュール１（実施の形態１では太陽電池モジュール１ａ〜１ｈ全てが該当）は第一の接続用部材４と第二の接続用部材５によって電気的に接続されている。
【００１８】
図３は、実施の形態１に係る太陽電池モジュールの上面図である。次に太陽電池モジュール１について説明する。太陽電池モジュール１は、長方形形状の太陽電池パネル１１と、太陽電池パネル１１の周囲を囲むフレーム１２を備えている。フレーム１２は、長尺形状であり長手方向が太陽電池パネル１１の長手方向に沿って取り付けられる一対の長辺側枠体１３と、長尺形状であり長手方向が太陽電池パネル１１の短手方向に沿って取り付けられる一対の短辺側枠体１４から成る。フレーム１２は、アルミニウムなどの導電性を有する材料を用いてそれぞれ構成されており、フレーム１２を構成する長辺側枠体１３と短辺側枠体１４は全て電気的に接続されている。
【００１９】
図４は、実施の形態１に係る太陽電池モジュールの図３で示した領域Ｄの拡大図である。図５は、実施の形態１に係る太陽電池モジュールの図４で示したＥ−Ｅ断面図である。図４及び図５で示すように長辺側枠体１３は、太陽電池パネル１１の側面に沿って設けられた壁面１３ａと、壁面１３ａより太陽電池パネル１１側に張り出すように形成され太陽電池パネル１１の長辺側の外周を保持する保持部１３ｂと、壁面より太陽電池パネル１１側に張り出し、保持部１３ｂと離れた位置に設けられた底部１３ｃと、太陽電池パネル１１の反対側に張り出すように形成されたフランジ部１３ｄと、が一体化されて構成されている。なお、壁面１３ａ、保持部１３ｂ、底部１３ｃ、フランジ部１３ｄは長辺側枠体１３の長手方向に延在するように形成されている。このため、壁面１３ａ、保持部１３ｂ、底部１３ｃ、フランジ部１３ｄは、太陽電池パネル１１の長手方向と並行に延びている。また、フランジ部１３ｄの先端は太陽電池モジュール１の上面側へ突出した突起が設けられている。
【００２０】
フランジ部１３ｄの両端部に位置する箇所にはそれぞれフレーム側ねじ穴１３ｅが形成されている。このため、図３に示すように太陽電池モジュール１の四隅にはそれぞれフレーム側ねじ穴１３ｅが設けられている。
【００２１】
図６は、実施の形態１に係る長辺側枠体の端部の上面図である。図７は実施の形態１に係る長辺側枠体の端部の斜視図である。長辺側枠体１３の両端では保持部１３ｂと底部１３ｃが張り出されておらず、保持部１３ｂと底部１３ｃが張り出されていない箇所を切欠き部１３ｆと称する。切欠き部１３ｆでは、太陽電池パネル１１側から短辺側枠体１４の端部が長辺側枠体１３の壁面１３ａに当接するよう突き当てられる。なお、実施の形態１の長辺側枠体１３では、長辺側枠体１３の長手方向において、フレーム側ねじ穴１３ｅの中心は保持部１３ｂの端部よりも長辺側枠体１３の端部側に位置している。
【００２２】
また、壁面１３ａのうち切欠き部１３ｆに位置する箇所には枠体固定用ねじ穴１３ｇが形成されている。短辺側枠体１４にも枠体固定用ねじ穴１３ｇと対応する箇所にねじ穴が形成されており、長辺側枠体１３と短辺側枠体１４をねじ止めして固定できるようになっている。ねじ止めに使用されるねじは、導電性を有し、長辺側枠体１３の枠体固定用ねじ穴１３ｇの直径及び短辺側枠体１４のねじ穴の直径よりもねじ部の外径が大きいタッピングねじ等が使用され、長辺側枠体１３と短辺側枠体１４とがねじを介して電気的に接続されるようになっている。なお、太陽電池モジュール１の全ての四隅では同様の方法で長辺側枠体１３と短辺側枠体１４が固定されている。タッピングねじを用いることにより、容易にかつ強固にねじ止めをすることができる。
【００２３】
なお、ねじ６としては、タッピングねじに限定されるものではない。フレーム側ねじ穴１３ｅに雌ねじを切って、平行なねじでねじ止めしても良い。この構成では、部品点数を増やすことが無いとともに、フレームのねじ部の変形が少ないので、繰り返し使用することができる。また、フレーム側にねじ部の外径よりも直径の大きいねじ穴を開けて、ねじと反対側からナットで固定しても良い。この方法では、フレームのねじ部が変形が無いので、繰り返し使用することができるとともに、作業不良等によるねじ穴の破損を抑制することができる。
【００２４】
図８は、本発明に係る太陽電池システムの図１で示した領域Ａの拡大図である。図９は、本発明に係る太陽電池システムの図８で示したＦ−Ｆ断面図である。次に太陽電池モジュール１とアース線３の接続について説明する。アース線３の一方の端部は、導電性を有するアース金具３ａにカシメ等の手段によって、アース線金具３ａと電気的に接続された状態で固定されている。アース線金具３ａには金具側ねじ穴３ｂが設けられている。
【００２５】
アース金具３ａは、金具側ねじ穴３ｂとフレーム側ねじ穴１３ｅとが太陽電池モジュール１の上面から見ると同じ位置にあるように、長辺側枠体１３のフランジ部１３ｄに配置されている。金具側ねじ穴３ｂとフレーム側ねじ穴１３ｅにはねじ６が挿通され、ねじ６によってアース線金具３ａは長辺側枠体１３に固定される。ねじ６は、導電性を有し、金具側ねじ穴３ｂの直径及びフレーム側ねじ穴１３ｅの直径よりも外径が大きいタッピングねじ等が使用され、アース線金具３ａと長辺側枠体１３は電気的に接続されるようになっている。このため、長辺側枠体１３はアース線金具３ａを介してアース線３と接続しており、アース線金具３ａが配置された太陽電池モジュール１（実施の形態１の場合は太陽電池モジュール１ａが該当する）のフレーム１２は電気的に接地されている。
【００２６】
図１０は、実施の形態１に係る太陽電池システムの図１で示した領域Ｂの拡大図である。図１１は、実施の形態１に係る太陽電池システムの図１０で示したＧ−Ｇ断面図である。図１２は、実施の形態１に係る第一の接続用部材の斜視図である。次に太陽電池モジュール１の長手方向に沿って隣り合う太陽電池モジュール１同士の電気的な接続について説明する。太陽電池モジュール１ａと太陽電池モジュール１ｅは、長手方向に沿って隣り合っており、それぞれの短辺側枠体１４が対向している。なお、ここでは太陽電池モジュール１ａが本発明の第一の太陽電池モジュールに該当し、太陽電池モジュール１ｅが第二の太陽電池モジュールに該当する。
【００２７】
太陽電池モジュール１ａの長辺側枠体１３のフランジ部１３ｄと、太陽電池モジュール１ｅの長辺側枠体１３のフランジ部１３ｄには、第一の接続用部材４が配置されている。第一の接続用部材４は長方形形状、つまり長尺形状の部材であり、アルミニウムなどの導電性を有する材料を用いて構成されている。また、第一の接続用部材４は、部材側長穴４ｃ（本発明の長穴に該当）を長手方向の両端にそれぞれ形成されている。また、部材側長穴４ｃは、部材側長穴４ｃの長手方向が第一の接続用部材４の長手方向に沿うように、形成されている。
【００２８】
第一の接続用部材４は、一方の端部に形成された部材側長穴４ｃの一部と太陽電池モジュール１ａのフレーム側ねじ穴１３ｅ、並びに他方の端部に形成された部材側長穴４ｃの一部と太陽電池モジュール１ｅのフレーム側ねじ穴１３ｅが、太陽電池モジュール１の上面から見ると同じ位置にあるように配置されている。また、部材側長穴４ｃの長手方向は太陽電池モジュール１の長手方向と並行している。それぞれの部材側長穴４ｃとフレーム側ねじ穴１３ｅにはねじ６ａが挿通され、ねじ６ａによって第一の接続用部材４は、太陽電池モジュール１ａのフレーム１２及び太陽電池モジュール１ｅのフレーム１２に固定されている。ねじ６ａは、導電性を有し、部材側長穴４ｃの短手方向の幅及びフレーム側ねじ穴１３ｅの直径よりも外径が大きいタッピングねじ等が使用され、第一の接続用部材４と太陽電池モジュール１ａのフレーム１２及び太陽電池モジュール１ｅのフレーム１２は電気的に接続されるようになっている。このため、太陽電池モジュール１ａのフレーム１２と太陽電池モジュール１ｅのフレーム１２は、第一の接続用部材４を介して電気的に接続されている。
【００２９】
図１３は、実施の形態１に係る太陽電池システムの図１で示した領域Ｃの拡大図である。図１４は、実施の形態１に係る太陽電池システムの図１３で示したＨ−Ｈ断面図である。図１５は、実施の形態１に係る第二の接続用部材の斜視図である。次に太陽電池モジュール１の短手方向に沿って隣り合う太陽電池モジュール１同士の電気的な接続について説明する。太陽電池モジュール１ａと太陽電池モジュール１ｂは、短手方向に沿って隣り合っており、それぞれの長辺側枠体１３が対向している。なお、ここでは太陽電池モジュール１ａが本発明の第一の太陽電池モジュールに該当し、太陽電池モジュール１ｂが第二の太陽電池モジュールに該当する。
【００３０】
太陽電池モジュール１ａの長辺側枠体１３のフランジ部１３ｄと、太陽電池モジュール１ｂの長辺側枠体１３のフランジ部１３ｄには、第二の接続用部材５が配置されている。第二の接続用部材５は、上面から見るとＵ字形状であり、互いに平行に延びる長方形形状、つまり長尺形状の一対の固定部５ａと、固定部５ａの長手方向の一方の端部を繋ぐ連結部５ｂとから構成されている。一対の固定部５ａの長手方向の他方の端部には、部材側長穴５ｃがそれぞれ形成されている。連結部５ｂは、固定部５ａに対して上面方向に隆起している。部材側長穴５ｃの長手方向が固定部５ａの長手方向に沿うように、部材側長穴５ｃは形成されている。また、第二の接続用部材５はアルミニウムなどの導電性を有する材料を用いて構成されている。
【００３１】
第二の接続用部材５は、一方の固定部５ａに形成された部材側長穴５ｃの一部と太陽電池モジュール１ａのフレーム側ねじ穴１３ｅ、並びに他方の固定部５ａに形成された部材側長穴５ｃの一部と太陽電池モジュール１ｂのフレーム側ねじ穴１３ｅが、太陽電池モジュール１の上面から見るとそれぞれ同じ位置にあるように配置されている。また、部材側長穴５ｃの長手方向は太陽電池モジュール１の長手方向と並行している。それぞれの部材側長穴５ｃとフレーム側ねじ穴１３ｅにはねじ６ｂが挿通され、ねじ６ｂによって第二の接続用部材５は、太陽電池モジュール１ａのフレーム１２及び太陽電池モジュール１ｂのフレーム１２に固定されている。ねじ６ｂは、導電性を有し、部材側長穴５ｃの短手方向の幅及びフレーム側ねじ穴１３ｅの直径よりも外径が大きいタッピングねじ等が使用され、第二の接続用部材５と太陽電池モジュール１ａのフレーム１２及び太陽電池モジュール１ｂのフレーム１２は電気的に接続されるようになっている。このため、太陽電池モジュール１ａのフレーム１２と、太陽電池モジュール１ｂのフレーム１２は第二の接続用部材５を介して電気的に接続されている。
【００３２】
図１０から図１５を用いて太陽電池モジュール１ａのフレーム１２と太陽電池モジュール１ｂのフレーム１２及び太陽電池モジュール１ｅのフレーム１２の電気的な接続について説明しているが、太陽電池システム１００を構成する全ての太陽電池モジュール１（実施の形態１では太陽電池モジュール１ａ〜１ｈ全てが該当）のフレーム１２が電気的に接続されるように、隣接する太陽電池モジュール１のフレーム１２は第一の接続用部材４と第二の接続用部材５を用いて電気的に接続されている。例えば、実施の形態１では、太陽電池モジュール１ａと太陽電池モジュール１ｂ、太陽電池モジュール１ｂと太陽電池モジュール１ｃ、並びに太陽電池モジュール１ｃと太陽電池モジュール１ｄは、第二の接続用部材５を用いてそれぞれのフレーム１２を電気的に接続されており、太陽電池モジュール１ａと太陽電池モジュール１ｅ、太陽電池モジュール１ｂと太陽電池モジュール１ｆ、太陽電池モジュール１ｃと太陽電池モジュール１ｇ、並びに太陽電池モジュール１ｄと太陽電池モジュール１ｈは、第一の接続用部材４を用いてそれぞれのフレーム１２を電気的に接続されている。
【００３３】
このように、実施の形態１の太陽電池システム１００は、全ての太陽電池モジュール１のフレーム１２が電気的に接続されており、さらに太陽電池システム１００の太陽電池モジュール１のうち少なくとも１つ（実施の形態１では太陽電池モジュール１ａが該当）はフレーム１２が電気的に接地されている。よって、実施の形態１の太陽電池システム１００は、太陽電池モジュール１それぞれにアース配線を接続せずとも、全ての太陽電池モジュール１のフレーム１２を全て電気的に接地させることができるため、容易に複数の太陽電池モジュールの電気的な接地を行うことができる。
【００３４】
また、実施の形態１の第一の接続用部材４の部材側長穴４ｃ及び第二の接続用部材５の部材側長穴５ｃは、それぞれの長手方向が太陽電池モジュール１の長手方向に対して並行している。太陽電池モジュール１に風圧や地震等の外力が印加された場合に外力が加えられた太陽電池モジュール１は他の太陽電池モジュール１に対して変位するが、この変位の一部はねじ６ａ又はねじ６ｂが部材側長穴４ｃ又は部材側長穴５ｃに沿って変位することによって吸収される。このため、太陽電池モジュール１の変位によって発生する第一の接続用部材４又は第二の接続用部材５に加わる応力が緩和される。従って、繰り返し外力が印加された場合でも第一の接続用部材４、第二の接続用部材５、ねじ６ａ又はねじ６ｂの金属疲労も抑えることができ、長期的に太陽電池モジュール１の電気的な接地を保つことができる。
【００３５】
部材側長穴４ｃ，５ｃは太陽電池モジュール１の長手方向に対して並行しているため、実施の形態１の太陽電池システム１００は、特に太陽電池モジュール１の長手方向に太陽電池モジュール１を変位させるような外力に対して優れた応力緩和の効果を発揮する。このような外力としては、例えば太陽電池モジュール１の長手方向に対する横揺れや、短手方向に沿って並んだ太陽電池モジュール１を持ち上げるような風圧が挙げられる。
【００３６】
以上のように実施の形態１の太陽電池システム１００では、隣接する太陽電池モジュール１を、太陽電池モジュールの長手方向に対して並行に長手方向が延びる部材側長穴４ｃ，５ｃが形成された第一の接続用部材４又は第二の接続用部材５を用いて電気的に接続することによって、容易に複数の太陽電池モジュールの電気的な接地を行え、長期的に太陽電池モジュールの電気的な接地を保つことができる。
【００３７】
なお、実施の形態１の太陽電池システム１００は、太陽電池モジュール１の長手方向と部材側長穴４ｃ，５ｃの長手方向が並行するように、第一の接続用部材４又は第二の接続用部材５が配置されるが、これに限らず、フランジ部の長手方向と部材側長穴の長手方向が並行に取り付けられていれば良い。例えば、短辺側枠体が両端にフレーム側ねじ穴が形成されたフランジ部を備えており、太陽電池モジュールの長手方向に隣接する太陽電池モジュールのそれぞれのフランジ部に部材側長穴５ｃの長手方向が太陽電池モジュールの短手方向と並行になるよう第二の接続用部材５を配置して電気的に接続させ、太陽電池モジュールの短手方向に隣接する太陽電池モジュールのそれぞれのフランジ部に部材側長穴４ｃの長手方向が太陽電池モジュールの短手方向と並行になるよう第一の接続用部材４を配置して電気的に接続させても良い。この場合、部材側長穴４ｃ，５ｃは太陽電池モジュール１の短手方向に対して並行しているため、特に太陽電池モジュール１の短手方向に太陽電池モジュール１を変位させるような外力に対して優れた応力緩和の効果を発揮する。このような外力としては、例えば太陽電池モジュール１の短手方向に対する横揺れや、長手方向に沿って並んだ太陽電池モジュール１を持ち上げるような風圧が挙げられる。また、この場合、太陽電池モジュール１の短手方向が本発明の第一の方向に該当し、長手方向が本発明の第二の方向に該当する。
【００３８】
また、実施の形態１の第二の接続用部材５の連結部５ｂは、固定部５ａに対して上面方向へ隆起しているが、これはフランジ部１３ｄの先端に設けられた突起を回避するためであり、フランジ部の先端が平らであれば、連結部５ｂも平らでよい。
【００３９】
実施の形態２．
実施の形態１に係る太陽電池システム１００では、第一の接続用部材４と第二の接続用部材５に部材側長穴４ｃ，５ｃを備えることによって第一の接続用部材４と第二の接続用部材５に生じる応力の緩和を行っていた。対して、実施の形態２に係る太陽電池システム１００ａでは、接続用部材４０にばね部４０ｂを備えることによって接続用部材４０に生じる応力の緩和を行う。なお、実施の形態２に係る太陽電池システム１００ａの太陽電池モジュール１同士の接続と接続用部材４０の形状以外の構成については、実施の形態１の太陽電池システム１００と略同様であるため、説明を割愛する。
【００４０】
図１６は、実施の形態２に係る接続用部材の斜視図である。まずは実施の形態２に係る接続用部材４０の形状について説明する。実施の形態２に係る接続用部材４０は、上面から見ると長方形形状、つまり長尺形状の部材であり、アルミニウムなどの導電性を有する材料を用いて構成されている。また、接続用部材４０は、部材側丸穴４０ｃ（本発明の部材側ねじ穴に該当）がそれぞれ形成された固定部４０ａを接続用部材４０の長手方向の両端に備えており、さらに接続用部材４０の長手方向に伸縮可能であり固定部４０ａ同士を繋ぐばね部４０ｂを備えている。実施の形態２に係るばね部４０ｂは、接続用部材４０の長手方向に沿って山折りと谷折りを交互に設けた波型形状に形成されている。
【００４１】
図１７は、実施の形態２に係る太陽電池システムの図１で示した領域Ｂに相当する箇所の拡大図である。図１８は、実施の形態２に係る太陽電池システムの図１７で示したＩ−Ｉ断面図である。次に、実施の形態２における太陽電池モジュール１の長手方向に沿って隣り合う太陽電池モジュール１同士の電気的な接続について説明する。なお、ここでは太陽電池モジュール１ａが本発明の第一の太陽電池モジュールに該当し、太陽電池モジュール１ｅが第二の太陽電池モジュールに該当する。
【００４２】
接続用部材４０は、一方の固定部４０ａの部材側丸穴４０ｃと太陽電池モジュール１ａのフレーム側ねじ穴１３ｅ、並びに他方の固定部４０ａの部材側丸穴４０ｃと太陽電池モジュール１ｅのフレーム側ねじ穴１３ｅが、太陽電池モジュール１の上面から見ると同じ位置にあるように配置されている。また、接続用部材４０の長手方向は太陽電池モジュール１の長手方向と並行しており、ばね部４０ｂは太陽電池モジュール１の長手方向に伸縮可能となっている。それぞれの部材側丸穴４０ｃとフレーム側ねじ穴１３ｅにはねじ６ｃが挿通され、ねじ６ｃによって接続用部材４０は、太陽電池モジュール１ａのフレーム１２及び太陽電池モジュール１ｅのフレーム１２に固定されている。ねじ６ｃは、導電性を有し、部材側丸穴４０ｃの直径及びフレーム側ねじ穴１３ｅの直径よりも外径が大きいタッピングねじ等が使用され、接続用部材４０と太陽電池モジュール１ａのフレーム１２及び太陽電池モジュール１ｅのフレーム１２は電気的に接続されるようになっている。このため、太陽電池モジュール１ａのフレーム１２と太陽電池モジュール１ｅのフレーム１２は、接続用部材４０を介して電気的に接続されている。
【００４３】
図１９は、実施の形態２に係る太陽電池システムの図１で示した領域Ｃに相当する箇所の拡大図である。図２０は、実施の形態２に係る太陽電池システムの図１９で示したＪ−Ｊ断面図である。次に、実施の形態２における太陽電池モジュール１の短手方向に沿って隣り合う太陽電池モジュール１同士の電気的な接続について説明する。なお、ここでは太陽電池モジュール１ａが本発明の第一の太陽電池モジュールに該当し、太陽電池モジュール１ｂが第二の太陽電池モジュールに該当する。
【００４４】
接続用部材４０は、固定部４０ａの部材側丸穴４０ｃと太陽電池モジュール１ａのフレーム側ねじ穴１３ｅ、並びに他方の固定部４０ａの部材側丸穴４０ｃと太陽電池モジュール１ｂのフレーム側ねじ穴１３ｅが、太陽電池モジュール１の上面から見ると同じ位置にあるように配置されている。また、接続用部材４０は、太陽電池モジュール１の短手方向と並行しており、ばね部４０ｂは太陽電池モジュール１の短手方向に伸縮可能となっている。長手方向に沿って隣り合う太陽電池モジュール同士の電気的な接続の説明と同様に、それぞれの部材側丸穴４０ｃとフレーム側ねじ穴１３ｅにはねじ６ｃが挿通され、ねじ６ｃによって接続用部材４０は、太陽電池モジュール１ａのフレーム１２及び太陽電池モジュール１ｂのフレーム１２に固定される。このため、太陽電池モジュール１ａのフレーム１２と太陽電池モジュール１ｅのフレーム１２は、接続用部材４０を介して電気的に接続されている。
【００４５】
実施の形態２の太陽電池システム１００ａは、太陽電池システム１００ａを構成する全ての太陽電池モジュール１のフレーム１２は接続用部材４０を用いて電気的に接続されている。このため、実施の形態１の太陽電池システム１００と同様に、実施の形態２の太陽電池システム１００ａは、太陽電池モジュール１それぞれにアース配線を接続せずとも、全ての太陽電池モジュール１のフレーム１２を全て電気的に接地させることができるため、容易に複数の太陽電池モジュールの電気的な接地を行うことができる。
【００４６】
また、実施の形態２の太陽電池システム１００ａの接続用部材４０のばね部４０ｂは接続用部材４０の長手方向に伸縮可能である。太陽電池モジュール１に風圧や地震等の外力が印加された場合に外力が加えられた太陽電池モジュール１は他の太陽電池モジュール１に対して変位するが、この変位の一部は接続用部材４０のばね部４０ｂが伸縮することによって吸収される。このため、太陽電池モジュール１の変位によって発生する接続用部材４０に加わる応力が緩和され、実施の形態１と同様の理由で長期的に太陽電池モジュール１の電気的な接地を保つことができる。
【００４７】
さらに、長手方向に隣接する太陽電池モジュール１同士を接続する際には接続用部材４０の長手方向と太陽電池モジュール１の長手方向が並行するように固定され、短手方向に隣接する太陽電池モジュール１同士を接続する際には接続用部材４０の長手方向と太陽電池モジュール１の短手方向が並行するように固定されているため、太陽電池モジュール１の長手方向に太陽電池モジュール１を変位させるような外力と、短手方向に太陽電池モジュール１を変位させるような外力の両方に優れた応力緩和の効果を発揮する。
【００４８】
以上のように実施の形態２の太陽電池システム１００ａでは、隣接する太陽電池モジュール１を、ばね部４０ｂが形成された接続用部材４０を用いて電気的に接続することによって、容易に複数の太陽電池モジュールの電気的な接地を行え、長期的に太陽電池モジュールの電気的な接地を保つことができる。
【００４９】
また、実施の形態１の太陽電池システム１００では、第一の接続用部材４と第二の接続用部材５との二種類の接続用部材を用いて全ての太陽電池モジュール１を電気的に接続していたが、実施の形態２の太陽電池システム１００ａでは一種類の接続用部材４０のみを用いて全ての太陽電池モジュール１を電気的に接続できるため、接続用部材の製造コストが安価となる。
【００５０】
なお、実施の形態２の太陽電池システム１００ａでは、接続用部材４０は、ねじ止めのために部材側丸穴４０ｃを有しているが、これに限らず、ばね部を有していれば後述する実施の形態２の変形例のように実施の形態１と同様に部材側長穴を有する第一の接続用部材４１や第二の接続用部材４２などでも構わない。
【００５１】
図２１は、実施の形態２の変形例に係る第一の接続用部材の斜視図である。例えば、第一の接続用部材４１は、上面から見ると長方形形状、つまり長尺形状であり、部材側長穴４１ｃがそれぞれ形成された一対の固定部４１ａを長手方向の両端にそれぞれ備えており、さらに第一の接続用部材４１の長手方向に伸縮可能であり一対の固定部４１ａを繋ぐばね部４１ｂを備えている。部材側長穴４１ｃの長手方向は第一の接続用部材４１の長手方向に沿うように、部材側長穴４１ｃは形成されている。
【００５２】
図２２は、実施の形態２の変形例に係る第二の接続用部材の斜視図である。また、第二の接続用部材４２は、上面から見るとＵ字形状であり、互いに平行に延びる長方形形状、つまり長尺形状の一対の固定部４２ａと、固定部４２ａの短手方向に伸縮可能であり、固定部４２ａの長手方向の一方の端部を繋ぐばね部４２ｂとから構成されている。さらに一対の固定部４２ａの長手方向の他方の端部には、部材側長穴４２ｃがそれぞれ形成されており、部材側長穴４２ｃの長手方向が固定部４２ａの長手方向に沿うように、部材側長穴４２ｃは形成されている。
【００５３】
図２３は、実施の形態２の変形例に係る太陽電池システムの図１で示した領域Ｂに相当する箇所の拡大図である。図２４は、実施の形態２の変形例に係る太陽電池システムの図１で示した領域Ｃに相当する箇所の拡大図である。なお、領域Ｂでは太陽電池モジュール１ａが本発明の第一の太陽電池モジュールに該当し、太陽電池モジュール１ｅが第二の太陽電池モジュールに該当する。また、領域Ｃでは太陽電池モジュール１ａが本発明の第一の太陽電池モジュールに該当し、太陽電池モジュール１ｂが第二の太陽電池モジュールに該当する。第一の接続用部材４１は、実施の形態１と同様に、長手方向に隣接する太陽電池モジュール１同士を電気的に接続するよう、部材側長穴４１ｃの長手方向は太陽電池モジュール１の長手方向と並行して配置され、ねじ６ａで固定される。また、第二の接続用部材４２も、実施の形態１と同様に、短手方向に隣接する太陽電池モジュール１同士を電気的に接続するよう、部材側長穴４２ｃの長手方向は太陽電池モジュール１の長手方向と並行して配置され、ねじ６ｂで固定される。この際に第一の接続用部材４１のばね部４１ｂは、太陽電池モジュール１の長手方向に伸縮可能であり、第二の接続用部材４２のばね部４２ｂは太陽電池モジュール１の短手方向に伸縮可能である。
【００５４】
このため、実施の形態２の変形例の太陽電池システム１００ｂは、実施の形態１と同様の部材側長穴４１ｃ，４２ｃによる接続用部材の応力が緩和する効果と、実施の形態２と同様のばね部４１ｂ，４２ｂによる接続用部材の応力が緩和する効果を同時に奏することができるため、太陽電池モジュール１の変位によって発生する、第一の接続用部材４１と第二の接続用部材４２に加わる応力が実施の形態１の太陽電池システム１００及び実施の形態２の太陽電池システム１００ａよりも緩和され、さらに長期的に太陽電池モジュール１の電気的な接地を保つことができる。
【００５５】
また、実施の形態２の接続用部材４０と太陽電池モジュール１はねじ止めによって固定されているが、実施の形態２の太陽電池システム１００ａはばね部４０ｂによって接続用部材の応力が緩和する効果を奏するため、接続用部材４０と太陽電池モジュール１の固定方法はねじ止めに限らず、接続用部材４０と太陽電池モジュール１が電気的に接続されるならば、例えば溶接などの他の固定手段でも良い。
【００５６】
実施の形態３．
実施の形態３に係る太陽電池システム１００ｃは、実施の形態１に係る太陽電池システム１００と比べて、長辺側枠体に形成されるフレーム側ねじ穴の位置と、第一の接続用部材に形成された一対の部材側長穴の間隔と、第二の接続用部材の固定部の長手方向の長さと、が異なっている。なお、それ以外の構成については、実施の形態１の太陽電池システム１００と略同様であるため、説明を割愛する。
【００５７】
図２５は、実施の形態３に係る太陽電池モジュールの上面図である。図２６は、実施の形態３に係る太陽電池モジュールの図２５で示した領域Ｋの拡大図である。図２７は、実施の形態３に係る長辺側枠体の端部の上面図である。まずは実施の形態３における太陽電池モジュール１のフレーム１２を構成する長辺側枠体１５について説明を行う。長辺側枠体１５は、長辺側枠体１３の長手方向に保持部１５ｂの端部はフレーム側ねじ穴１５ｅの中心よりも端部側に位置している。なお、それ以外の構成、つまり長辺側枠体１５の壁面１５ａと、保持部１５ｂと、底部（図示省略）と、フランジ部１５ｄと、切欠き部１５ｆと、枠体固定用ねじ穴（図示省略）は、実施の形態１の長辺側枠体１３の壁面１３ａと、底部１３ｃと、フランジ部１３ｄと、切欠き部１３ｆと、枠体固定用ねじ穴１３ｇと略同様であるため、説明を割愛する。
【００５８】
図２８は、実施の形態３に係る第一の接続用部材の斜視図である。次に実施の形態３に係る第一の接続用部材５１について説明する。第一の接続用部材５１は一対の部材側長穴５１ｃの間隔が、実施の形態１に係る第一の接続用部材４の一対の部材側長穴４ｃの間隔よりも長くなっている。なお、それ以外の構成、例えば第一の接続用部材５１の形状や、部材側長穴５１ｃの形状などは、実施の形態１の第一の接続用部材４の形状や、部材側長穴４ｃの形状などと略同様であるため、説明を割愛する。
【００５９】
図２９は、実施の形態３に係る太陽電池システムの図１で示した領域Ｂに相当する箇所
の拡大図である。次に、実施の形態３に係る太陽電池モジュール１の長手方向に沿って隣り合う太陽電池モジュール１同士の電気的な接続について説明する。なお、ここでは太陽電池モジュール１ａが本発明の第一の太陽電池モジュールに該当し、太陽電池モジュール１ｅが第二の太陽電池モジュールに該当する。
【００６０】
実施の形態３に係る太陽電池システム１００ｃでも、実施の形態１に係る太陽電池システム１００と同様に、部材側長穴５１ｃと太陽電池モジュール１のフレーム側ねじ穴１５ｅとが太陽電池モジュール１の上面から見ると同じ位置にあるように配置され、部材側長穴５１ｃとフレーム側ねじ穴１５ｅにねじ６ａが挿入されることによって太陽電池モジュール１のフレーム１２と第一の接続用部材５１が固定される。しかしながら、実施の形態３に係る太陽電池システム１００ｃでは、第一の接続用部材５１における、ねじ６ａによって太陽電池モジュール１と第一の接続用部材５１が固定される固定点の間隔Ｘが、実施の形態１の太陽電池システム１００の当該間隔に比べて長くなっている。
【００６１】
ここで、太陽電池モジュール１の長手方向に隣接する太陽電池モジュール１のうち一方（例えば太陽電池モジュール１ｅ）に太陽電池モジュール１の短手方向へ変位させるような外力が加わったとすると、一方の太陽電池モジュール１は他方の太陽電池モジュール１に対して変位し、第一の接続用部材５１にはせん断応力が発生する。せん断応力はせん断歪みと比例しており、せん断歪みは隣接する太陽電池モジュール１に対する変位が同じ量であれば、固定点の間隔Ｘが長くなるほど小さくなる。このため、太陽電池モジュール１の変位量が同じである場合、第一の接続用部材５１に発生するせん断応力は、固定点の間隔が長くなるほど小さくなる。実施の形態３に係る太陽電池システム１００ｃの第一の接続用部材５１の固定点の間隔Ｘは、実施の形態１に係る太陽電池システム１００の第一の接続用部材４の固定点の間隔よりも長いため、実施の形態３の第一の接続用部材５１に発生するせん断応力は、実施の形態１の第一の接続用部材４に発生するせん断応力よりも小さくなる。
【００６２】
図３０は、実施の形態３に係る第二の接続用部材の斜視図である。次に実施の形態３に係る第二の接続用部材５２について説明する。実施の形態３に係る第二の接続用部材５２は固定部５２ａの長手方向の長さが、実施の形態１に係る第二の接続用部材５の固定部５ａの長手方向の長さよりも長くなっている。また、実施の形態３に係る部材側長穴５２ｃと連結部５２ｂの間隔も、実施の形態１に係る第二の接続用部材５の部材側長穴５ｃと連結部５ｂの間隔よりも長くなっている。なお、それ以外の構成、例えば固定部５２ａ、連結部５２ｂ、部材側長穴５２ｃの形状などは、実施の形態１の第二の接続用部材５の固定部５ａ、連結部５ｂ、部材側長穴５ｃの形状などと略同様であるため、説明を割愛する。
【００６３】
図３１は、実施の形態３に係る太陽電池システムの図１で示した領域Ｃに相当する箇所の拡大図である。次に、実施の形態３に係る太陽電池モジュール１の短手方向に沿って隣り合う太陽電池モジュール１同士の電気的な接続について説明する。なお、ここでは太陽電池モジュール１ａが本発明の第一の太陽電池モジュールに該当し、太陽電池モジュール１ｂが第二の太陽電池モジュールに該当する。
【００６４】
実施の形態３に係る太陽電池システム１００ｃでも、実施の形態１に係る太陽電池システム１００と同様に、部材側長穴５２ｃと太陽電池モジュール１のフレーム側ねじ穴１５ｅとが太陽電池モジュール１の上面から見ると同じ位置にあるように配置され、部材側長穴５２ｃとフレーム側ねじ穴１５ｅにねじ６ｂが挿入されることによって太陽電池モジュール１のフレーム１２と第二の接続用部材５２が固定される。しかしながら、実施の形態３に係る太陽電池システム１００ｃでは、第二の接続用部材５２においてねじ６ｂによって太陽電池モジュール１と第二の接続用部材５２が固定される固定点の連結部５２ｂを経由した間隔Ｙが、実施の形態１の太陽電池システム１００の当該間隔に比べて長くなっている。
【００６５】
ここで、太陽電池モジュール１の短手方向に隣接する太陽電池モジュール１のうち一方（例えば太陽電池モジュール１ｂ）に太陽電池モジュール１の長手方向へ変位させるような外力が加わったとすると、一方の太陽電池モジュール１は他方の太陽電池モジュール１に対して変位し、第二の接続用部材５２にはせん断応力が発生する。せん断応力はせん断歪みと比例しており、せん断歪みは隣接する太陽電池モジュール１に対する変位が同じ量であれば、連結部を経由する固定点の間隔Ｙが長くなるほど小さくなる。このため、太陽電池モジュール１の変位量が同じである場合、第二の接続用部材５２に発生するせん断応力は、連結部を経由する固定点の間隔Ｙが長くなるほど小さくなる。実施の形態３に係る太陽電池システム１００ｃの第二の接続用部材５２の連結部を経由する固定点の間隔Ｙは、実施の形態１に係る太陽電池システム１００の第二の接続用部材５の連結部を経由する固定点の間隔よりも長いため、実施の形態３の第二の接続用部材５２に発生するせん断応力は、実施の形態１の第二の接続用部材５に発生するせん断応力よりも小さくなる。
【００６６】
以上より、実施の形態３の太陽電池システム１００は、実施の形態１の太陽電池システム１００に比べて、第一の接続用部材５１及び第二の接続用部材５２に加わる応力が小さくなるため、実施の形態１の効果に加えて、さらに長期的に太陽電池モジュールの電気的な接地を保つことができる。
【００６７】
また、実施の形態３の長辺側枠体１５は、長辺側枠体１３の長手方向に保持部１５ｂの端部はフレーム側ねじ穴１５ｅの中心よりも端部側に位置している。このため、長辺側枠体１５の上面から見るとフレーム側ねじ穴１５ｅが形成された位置と切欠き部１５ｆが形成された位置は異なるため、長辺側枠体１３の強度の低下を最低限に抑えることができる。
【００６８】
なお、実施の形態３の第一の接続用部材５１の部材側長穴５１ｃの間や、第二の接続用部材５２の連結部５２ｂを、それぞれ実施の形態２の変形例の第一の接続用部材４１のばね部４１ｂと、第二の接続用部材４２のばね部４２ｂに置き換えても構わない。
【００６９】
図３２は、実施の形態１〜３の変形例に係る太陽電池モジュールの上面図である。また、実施の形態１〜３の太陽電池パネル１１は長方形形状であり太陽電池モジュール１の形状も長方形形状だが、図３２に示すように一般的な太陽電池パネル６１の形状には正方形形状や等足台形形状などがあり、太陽電池パネル６１と、太陽電池パネル６１の周囲を囲むフレーム６２を備えた太陽電池モジュール６０の形状も正方形形状や台形形状のものがある。本発明が適応される太陽電池システムの太陽電池モジュールは、接続用部材を取り付けるフレーム側ねじ穴６３が形成されていれば、太陽電池モジュールの形状は太陽電池モジュール６０のように正方形形状や台形形状でも良い。
【００７０】
また、実施の形態１〜３の太陽電池モジュール１は、長辺側枠体１３のフランジ部１３ｄにフレーム側ねじ穴１３ｅが形成されているが、これに限らず、フレーム側ねじ穴は枠体に形成されていれば位置は限定されない。例えば、長辺側枠体の保持部の両端の表面にフレーム側ねじ穴が形成されていても良い。また、長辺側枠体の代わりに短辺側枠体の両端にフレーム側ねじ穴が形成されていても良い。
【００７１】
さらに、実施の形態１〜３に係る太陽電池モジュール１のフレーム側ねじ穴１３ｅ，１５ｅは、全て丸穴であるが、これに限らず、長穴であっても構わない。また、この際にねじ６，６ａ，６ｂ，６ｃの外径はそれぞれ枠体側長穴の短手方向の幅よりも大きい。
【００７２】
また、実施の形態１〜３の太陽電池システムは、太陽電池モジュール１を８枚有しているが、これに限らず、太陽電池システムが太陽電池モジュールを複数枚（２枚以上）有していれば良い。
【００７３】
さらに、実施の形態１〜３の太陽電池システムは、太陽電池モジュール１が支持架台２に支持されているが、これに限らず、例えば建築物の屋根面に太陽電池モジュールが設置されている等、他の設置方法であっても良い。
【符号の説明】
【００７４】
１  太陽電池モジュール、２  支持架台、３  アース線、３ａ  アース金具、３ｂ  金具側ねじ穴、４  第一の接続用部材、４ｃ  部材側長穴、５  第二の接続用部材、５ａ  固定部、５ｂ  連結部、５ｃ  部材側長穴、６  ねじ、６ａ〜６ｃ  ねじ、１１  太陽電池パネル、１２  フレーム、１３  長辺側枠体、１３ａ  壁面、１３ｂ  保持部、１３ｃ  底部、１３ｄ  フランジ部、１３ｅ  フレーム側ねじ穴、１３ｆ  切欠き部、１３ｇ  枠体固定用ねじ穴、１４  短辺側枠体、１５  長辺側枠体、１５ａ  壁面、１５ｂ  保持部、１５ｄ  フランジ部、１５ｅ  フレーム側ねじ穴、１５ｆ  切欠き部、１５ｇ  枠体固定用ねじ穴、４０  接続用部材、４０ａ  固定部、４０ｂ  ばね部、４０ｃ  部材側丸穴、４１  第一の接続用部材、４１ａ  固定部、４１ｂ  ばね部、４１ｃ  部材側長穴、４２  第二の接続用部材、４２ａ  固定部、４２ｂ  ばね部、４２ｃ  部材側長穴、５１  第一の接続用部材、５１ｃ  部材側長穴、５２  第二の接続用部材、５２ａ  固定部、５２ｂ  連結部、５２ｃ  部材側長穴、６０  太陽電池モジュール、６１  太陽電池パネル、６２  フレーム、６３  フレーム側ねじ穴、１００  太陽電池システム、１００ａ〜１００ｃ  太陽電池システム
【図１】
0006508987.tif 000002
【図２】
0006508987.tif 000003
【図３】
0006508987.tif 000004
【図４】
0006508987.tif 000005
【図５】
0006508987.tif 000006
【図６】
0006508987.tif 000007
【図７】
0006508987.tif 000008
【図８】
0006508987.tif 000009
【図９】
0006508987.tif 000010
【図１０】
0006508987.tif 000011
【図１１】
0006508987.tif 000012
【図１２】
0006508987.tif 000013
【図１３】
0006508987.tif 000014
【図１４】
0006508987.tif 000015
【図１５】
0006508987.tif 000016
【図１６】
0006508987.tif 000017
【図１７】
0006508987.tif 000018
【図１８】
0006508987.tif 000019
【図１９】
0006508987.tif 000020
【図２０】
0006508987.tif 000021
【図２１】
0006508987.tif 000022
【図２２】
0006508987.tif 000023
【図２３】
0006508987.tif 000024
【図２４】
0006508987.tif 000025
【図２５】
0006508987.tif 000026
【図２６】
0006508987.tif 000027
【図２７】
0006508987.tif 000028
【図２８】
0006508987.tif 000029
【図２９】
0006508987.tif 000030
【図３０】
0006508987.tif 000031
【図３１】
0006508987.tif 000032
【図３２】
0006508987.tif 000033